(57)【要約】【課題】  両側に配した脚体を固定脚に対して可動脚を上下動可能に支持した構造とし、両可動脚の上端で支持した天板の高さを調節可能とする昇降天板付きデスク装置において、天板の下面後部に設けた配線ダクトへの配線作業が楽な姿勢で容易に行なうことが可能な昇降天板付きデスクの配線ダクト装置を提供する。【解決手段】  天板２の下面後部に該天板との間に所定の空間を設けてダクトカバー５の後部を水平な支軸６にて前部が上下方向へ回動可能に取付け、ダクトカバーの前端部を係脱可能な係止具７にて略水平状態に保持し、ダクトカバーを開放した状態で天板の下面８とダクトカバーのなす角度が９０°よりも小さな角度に設定した。ダクトカバーを開放した状態で、天板の下面とダクトカバーのなす角度が４５°〜７０°の角度に保持すべく、ダクトカバーの後端に天板下面に当接する規制部１１を設けた。【選択図】        図８
2018064979.tif 000002
【特許請求の範囲】
【請求項１】
両側に配した脚体を固定脚に対して可動脚を上下動可能に支持した構造とし、両可動脚の上端で支持した天板の高さを調節可能とする昇降天板付きデスクであって、前記天板の下面後部に該天板との間に所定の空間を設けてダクトカバーの後部を水平な支軸にて前部が上下方向へ回動可能に取付けるとともに、該ダクトカバーを係脱可能な保持手段にて略水平状態に保持し、前記ダクトカバーを開放した状態で前記天板の下面とダクトカバーのなす角度が９０°よりも小さな角度に設定したことを特徴とする昇降天板付きデスクの配線ダクト装置。
【発明の詳細な説明】
【技術分野】
【０００１】
本発明は、昇降天板付きデスクの配線ダクト装置に係わり、更に詳しくは昇降天板の下面後部に配線ダクトを設けてなる昇降天板付きデスクの配線ダクト装置に関するものである。
【背景技術】
【０００２】
従来から、両側に配した脚体を固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。
【０００３】
例えば、特許文献１には、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付け、前記天板の後縁と幕板の上端部間に配線ダクトが形成された昇降天板付きデスク装置が開示されている。
【０００４】
また、特許文献２には、後端部寄りに上下方向に折曲可能なヒンジ部を備える支持基板における前端部上面に係止片を、かつ後端に前後方向に弾性変形可能な閉塞片をそれぞれ上向に立設してなるダクトユニットにおける前記ヒンジ部よりも後方の端部を、天板の後端下面と所要寸法離間して立設された幕板の上端に、前記閉塞片の上端と天板下面とが当接又は近接するように止着するとともに、前記係止片を、天板下方の補強部材に着脱可能として係合したことを特徴とする机等における配線ダクト構造が開示されている。
【０００５】
しかし、特許文献１に記載の配線ダクト装置は、天板の後縁と幕板の上端部間に形成された配線ダクトの下方に。コード受けを固定的に設けたので、配線作業には天板の下に潜り込み、窮屈な姿勢を強いられるので、大変な労力を要する。また、特許文献２に記載の机等における配線ダクト構造は、支持基板の前端部上面における係止片と天板下方の補強部材との係合を外せば、支持基板はヒンジ部を中心として下向に回動、傾斜するので、ケーブル等を机等の前方よりダクト内に容易に収納することができるというものであるが、支持基板が弾性ヒンジ部によって下向きに傾斜するので、該支持基板に重量のあるコード類を載支した場合には、傾斜角度が大きくなって、コード類が配線作業中に落下する恐れもある。
【先行技術文献】
【特許文献】
【０００６】
【特許文献１】特許第４７９７９１２号公報
【特許文献２】実公平７−９８１号公報
【発明の概要】
【発明が解決しようとする課題】
【０００７】
そこで、本発明が前述の状況に鑑み、解決しようとするところは、両側に配した脚体を固定脚に対して可動脚を上下動可能に支持した構造とし、両可動脚の上端で支持した天板の高さを調節可能とする昇降天板付きデスク装置において、天板の下面後部に設けた配線ダクトへの配線作業が楽な姿勢で容易に行なうことが可能な昇降天板付きデスクの配線ダクト装置を提供する点にある。
【課題を解決するための手段】
【０００８】
本発明は、前述の課題解決のために、両側に配した脚体を固定脚に対して可動脚を上下動可能に支持した構造とし、両可動脚の上端で支持した天板の高さを調節可能とする昇降天板付きデスクであって、前記天板の下面後部に該天板との間に所定の空間を設けてダクトカバーの後部を水平な支軸にて前部が上下方向へ回動可能に取付けるとともに、該ダクトカバーを係脱可能な保持手段にて略水平状態に保持し、前記ダクトカバーを開放した状態で前記天板の下面とダクトカバーのなす角度が９０°よりも小さな角度に設定したことを特徴とする昇降天板付きデスクの配線ダクト装置を構成した（請求項１）。
【０００９】
ここで、前記ダクトカバーを開放した状態で、前記天板の下面とダクトカバーのなす角度が４５°〜７０°の角度に保持すべく、該ダクトカバーの後端に前記天板の下面に当接する規制部を設けてなることが好ましい（請求項２）。
【００１０】
具体的には、両両側の前記脚体の可動脚の上端に、横方向に延びるビームの両端部を取付け、該ビームの両側部には前後方向に延びた支持杆の中央部が固定されており、前記ビームと支持杆の上面に前記天板を載置して取付け、前記ビームの後側であって、両支持杆に水平な支軸にてダクトカバーの両側後部を上下回動可能に取付けるとともに、該ダクトカバーの前端部に、該ダクトカバーが略水平状態に保持する前記ビームに対して係脱可能な保持手段を設けている（請求項３）。
【００１１】
更に、前記ダクトカバーは、支持板の両側後部に前記支軸で回動可能に支持する側面板を有するとともに、前縁に立上板を有し、前記支持板が前記ビームの下面と略面一の略水平状態で前記立上板の両側に設けた前記保持手段としての係止具を前記ビームの後面に係脱可能に係合させ、更に前記側面板の後端に前記ダクトカバーを所定角度に保持するための規制部を形成してなることがより好ましい（請求項４）。
【発明の効果】
【００１２】
以上にしてなる請求項１に係る発明の昇降天板付きデスクの配線ダクト装置は、両側に配した脚体を固定脚に対して可動脚を上下動可能に支持した構造とし、両可動脚の上端で支持した天板の高さを調節可能とする昇降天板付きデスクであって、前記天板の下面後部に該天板との間に所定の空間を設けてダクトカバーの後部を水平な支軸にて前部が上下方向へ回動可能に取付けるとともに、該ダクトカバーを係脱可能な保持手段にて略水平状態に保持し、前記ダクトカバーを開放した状態で前記天板の下面とダクトカバーのなす角度が９０°よりも小さな角度に設定したので、ダクトカバーを開放した状態でも天板の下面とダクトカバーのなす角度が９０°よりも小さな角度になるので、天板下方に潜り込んで行なう配線ダクトへの配線作業が楽な姿勢で容易に行なうことができ、またコード類を配線ダクトに載支しても該ダクトカバーが一定角度で保持されているので、脱落したり、ずれ落ちたりすることがない。また、天板の下面後部にダクトカバーを設けたので、天板下方の前部を広く使用することができる。
【００１３】
請求項２によれば、前記ダクトカバーを開放した状態で、前記天板の下面とダクトカバーのなす角度が４５°〜７０°の角度に保持すべく、該ダクトカバーの後端に前記天板の下面に当接する規制部を設けてなるので、ダクトカバーを傾斜した状態で確実に保持することができ、配線作業中にダクトカバーが動いてコード類が脱落する恐れもなく、またダクトカバーが４５°〜７０°の傾斜角度で開放するので、前側から配線作業が容易になる。
【００１４】
請求項３によれば、両側の前記脚体の可動脚の上端に、横方向に延びるビームの両端部を取付け、該ビームの両側部には前後方向に延びた支持杆の中央部が固定されており、前記ビームと支持杆の上面に前記天板を載置して取付け、前記ビームの後側であって、両支持杆に水平な支軸にてダクトカバーの両側後部を上下回動可能に取付けるとともに、該ダクトカバーの前端部に、該ダクトカバーが略水平状態に保持する前記ビームに対して係脱可能な保持手段を設けているので、天板を支持するビームと両支持杆を利用してダクトカバーを取付け、十分なダクト空間を確保することができるとともに、ダクトカバーを閉じた状態では前側からは目立たなくなり、外観性にも優れたものとなる。
【００１５】
請求項４によれば、前記ダクトカバーは、支持板の両側後部に前記支軸で回動可能に支持する側面板を有するとともに、前縁に立上板を有し、前記支持板が前記ビームの下面と略面一の略水平状態で前記立上板の両側に設けた前記保持手段としての係止具を前記ビームの後面に係脱可能に係合させ、更に前記側面板の後端に前記ダクトカバーを所定角度に保持するための規制部を形成してなるので、簡単な構造であるにも係わらず、剛性を備えており、ダクトカバーを開いて傾斜状態にしたときに、立上板が受け部となってコード類の配線作業が容易になる。
【図面の簡単な説明】
【００１６】
【図１】本発明に係る昇降天板付きデスクを示す斜視図である。
【図２】同じく昇降天板付きデスクの分解斜視図である。
【図３】側方へ隣接して２台の昇降天板付きデスクを設置し、片方のデスクの天板を上昇させた状態の斜視図である。
【図４】ダクトカバーの斜視図である。
【図５】ダクトカバーを閉じた状態の部分斜視図である。
【図６】図５の状態の縦断面図である。
【図７】ダクトカバーを開いた状態の部分斜視図である。
【図８】図７の状態の縦断面図である。
【図９】化粧カバーを外した状態の部分斜視図である。
【図１０】化粧カバーの分解斜視図である。
【図１１】ビームの端部構造を示す部分斜視図である。
【発明を実施するための形態】
【００１７】
次に、添付図面に示した実施形態に基づき、本発明を更に詳細に説明する。図１は本発明に係る昇降天板付きデスクを示し、図２〜図８はその詳細を示し、図中符号１は脚体、２は天板、３はビーム、４は支持杆、５はダクトカバー、６は支軸、７は係止具それぞれ示している。
【００１８】
本発明に係る昇降天板付きデスクの配線ダクト装置は、図１及び図２に示すように、両側に配した脚体１，１の上端で支持した天板２の高さを調節可能とする昇降天板付きデスクＡであって、前記天板２の下面後部に該天板２との間に所定の空間を設けてダクトカバー５の後部を水平な支軸６にて前部が上下方向へ回動可能に取付けるとともに、該ダクトカバー５を係脱可能な保持手段７にて略水平状態に保持し、前記ダクトカバー５を開放した状態で前記天板２の下面８とダクトカバーのなす角度が９０°よりも小さな角度に設定したことを特徴とする。
【００１９】
ここで、図２に示すように、前記脚体１は、固定脚９に対して可動脚１０を上下動可能に支持した構造とし、両側の前記脚体１，１の可動脚１０，１０の上端に、横方向に延びるビーム３の両端部を取付け、該ビーム３の両側部には前後方向に延びた支持杆４，４の中央部が固定されており、前記ビーム３と支持杆４，４の上面に前記天板２を載置して取付けている。
【００２０】
本発明は、図７及び図８に示すように、前記ダクトカバー５を開放した状態で、前記天板２の下面８とダクトカバー５のなす角度が４５°〜７０°の角度に保持すべく、該ダクトカバー５の後端に前記天板２の下面８に当接する規制部１１，１１を設けている。前記天板２の下面８とダクトカバー５のなす角度が６０°であると特に好ましい。
【００２１】
そして、前記ビーム３の後側であって、両支持杆４，４に水平な支軸６，６にてダクトカバー５の両側後部を上下回動可能に取付けるとともに、該ダクトカバー５の前端部に、該ダクトカバー５が略水平状態に保持する前記ビーム３に対して係脱可能な保持手段７としての係止具を設けている。ここで、前記保持手段７としては、マグネットを用いるものや各種の構造が採用でき、またそれを設ける位置も特に制限されない。以下、実施形態では、前記保持手段７の一例として閂構造の係止具７を用いて説明する。
【００２２】
具体的には、前記ダクトカバー５は、図２及び図４に示すように、支持板１２の両側後部に前記支軸６，６で回動可能に支持する側面板１３，１３を有するとともに、前縁に立上板１４を有し、前記支持板１２が前記ビーム３の下面１５と略面一の略水平状態で前記立上板１４の両側に設けた閂構造の前記係止具７，７を前記ビーム３の後面１６に係脱可能に係合させ、更に前記側面板１３の後端に前記ダクトカバー５を所定角度に保持するための規制部１１を形成している。尚、前記ビーム３の後面１６には、前記係止具７の爪部７Ａが係止する係合孔を形成している。前記ダクトカバー５は、前記ビーム３の後側に連続して設けられ、前記立上板１４とビーム３の後面１６が近接して位置し、前記ダクトカバー５により形成されるダクト空間から前記ビーム３の後面１６に形成したコード挿通孔を通して凹溝２４内に配線することが可能である。
【００２３】
更に詳しくは、前記固定脚９は、図１〜図３及び図５に示すように、下端に前後方向に延びた接地脚１７を設け、該接地脚１７の少なくとも前後端部が平面視において前記天板２の側端縁１８よりも側方へ突出し、側方突出部を当接部１９，１９としている。具体的には、図１及び図２に示すように、前記脚体１の固定脚９は、筒状の外側筒２０の下端に前後方向に延びた前記接地脚１７の前後中央部を固定し、前記可動脚１０は、前記外側筒２０の内部に設けた単数又は複数の筒部材で伸縮連筒を構成したものである。本実施形態では、内側筒２１と中間筒２２の二つを前記外側筒２０の内部に同軸状に設けて伸縮連筒を構成している。
【００２４】
本発明に係る昇降天板付きデスクＡ，Ｂの２台を、横方向へ隣接して設置した状態を図３に示している。隣接して設置した両昇降天板付きデスクＡ，Ｂの脚体１，１の固定脚９，９に設けた当接部１９，１９同士を前後部において当接して最接近状態で設置した場合でも、隣接する天板２，２の側端縁１８，１８間に隙間が形成されているので、一方の昇降天板付きデスクＡの天板２を昇降しても他方の昇降天板付きデスクＢの天板２に干渉されることなく、昇降動作するのである。ここで、前記当接部１９は、接触摩擦抵抗の大きなゴム等の弾性材料で形成することが望ましい。
【００２５】
前記固定脚９に対して可動脚１０を昇降駆動する機構は、前述の伸縮連筒を関係付けてその内部に格納されている。前記内側筒２１の上端には、図２に示すように、取付体２３が固定されており、該取付体２３の内部には回転数を制御できるサーボモータあるいはステッピングモータ等の駆動モータが内蔵されており、前述の伸縮連筒と外側筒２０の内部に設けた送りネジ機構等から構成した昇降機構部が格納されている。そして、横方向に延びる上方開放のビーム３の両端部内に前記取付体２３を取付け、該ビーム３の両側部には前後方向に延びた支持杆４，４の中央部が固定されており、前記ビーム３と支持杆４，４の上面に前記天板２を載置して、下方からネジ止めして取付ける。
【００２６】
また、前記ビーム３の凹溝２４の内部には、駆動モータを制御する電子制御装置２５を組み込み、該電子制御装置２５の操作スイッチ２６を図１、図５及び図６に示すように、一方の前記支持杆４の手前側に設け、その配線は該支持杆４の内部からビーム３の凹溝２４を通して電子制御装置２５に繋がっている。尚、前記支持杆４の全体を合成樹脂製のカバー２７で覆うことも好ましい。
【００２７】
また、前記天板２の後部の両側には、その下方に設けたダクトカバー５からなる配線ダクト装置に関連して配線機能部２８，２８を設けている。前記配線機能部２８は、前記天板２に上下貫通して形成した開口２９の内部に、配線を挿通するための機能のついた配線カバー３０を設けたり、各種接続端子を備えたコンセント３１を設けたりする。
【００２８】
また、前記配線ダクト装置からビーム３の凹溝２４内を通して前記電子制御装置２５と駆動モータに電力を供給し、あるいは通信のためのＬＡＮケーブルを配線する必要がある。そのため、図５〜図８に示すように、アクセスフロア等の床面から引き出したコード類を前記脚体１の固定脚９の背面部に取付け、上端を余して前記天板２の後端部下面８に取付けた立上げ配線ダクト３２を設けている。前記立上げ配線ダクト３２は、合成樹脂製の偏平な芯材をファスナー付きの筒状袋内の一部に縫着し、あるいは熱溶着し、あるいは接着して固定し、該芯材にコード類を沿わせながらファスナーを閉じて内部に保持する構造である。前記天板２は昇降するが、本実施形態では、最も上昇したときには前記天板２の上面の高さが１２５０ｍｍとなり、最も下降したときには前記天板２の上面の高さが６５０ｍｍとなるので、その高低さを吸収できるだけの余剰部分３３を立上げ配線ダクト３２の上部に設けている。ここで、前記天板２の昇降時に前記立上げ配線ダクト３２は変形するが、前述の芯材の作用により変形方向は拘束され、最も下降した状態でも余剰部分３３が前記天板２の後端よりも後方へ突出しないようにしている。
【００２９】
また、前記天板２の後部と両側には、図１、図５〜図８に示すように、バックパネル３４とサイドパネル３５，３５をそれぞれＬ金具３６，…で前記天板２の下面に取付けている。ここで、前記バックパネル３４とサイドパネル３５は、天板２の下方にも十分な上下寸法を設けてあり、前記天板２を最高高さに上昇させた場合でも、隣接する天板２が最低高さにあるバックパネル３４とサイドパネル３５とが重なるように設定している。そして、隣接する昇降天板付きデスクＡ，Ｂの天板２，２に設けたサイドパネル３５，３５の間にも隙間が確保されるように設定している。
【００３０】
更に、前記ダクトカバー５の支持板１２には、複数の長孔３７，…を縦横に多数形成してあり、該長孔３７を利用して結束バンドでテーブルタップや変圧器等の配線機器を保持する。また、前記ダクトカバー５をスチール板で作製しているので、マグネットを利用して配線機器を吸着して保持することも可能である。
【００３１】
図５及び図６に示すように、前記ダクトカバー５は、閉じた状態では、前記ビーム３の下面１５と支持板１２が略面一に略水平状態で支持されるので、外観性に優れたものとなり、全く邪魔になることがない。また、図７及び図８に示すように、前記ダクトカバー５は、開いた状態では、天板２の下方を斜め上方から覗き込んだときに、前記支持板１２が略正面を向き、また前記立上板１４が受け部となるので、配線作業が容易であり、コード類が重くなっても、前記規制部１１，１１が天板２の下面８に当接して回動規制しているので、開放姿勢が安定である。
【００３２】
前記ビーム３の端部には、図５に示すように、前記脚体１を支持する取付体２３を取付けているが、前記ビーム３の凹溝２４をやや深く設定していることから、寸法の関係上、前記脚体１の外側筒２０及び中間筒２２の上端と前記ビーム３の下面１５との間に指を挟む危険性を除去するために、前記下面１５を含めて下部を切り欠いている。このビーム３の端部の切欠部３９や前記取付体２３を隠蔽するために、合成樹脂製の化粧カバー３８を取付けている。
【００３３】
前記化粧カバー３８と前記ビーム３の端部への取付構造を図５、図９〜図１１に基づいて説明する。前記化粧カバー３８は、前記ビーム３の切欠部３９と端面を覆うことができる正面視略Ｌ字状の部材であり、前記脚体１の内側脚２１を受け入れる円形の開口４０を有し、該開口４０の直径部分で左右に分割している。即ち、図１０に示すように、前記化粧カバー３８は、底面側を覆う内側カバー４１と側面側と底面側を覆う外側カバー４２とからなり、互いに突き合わせ接合する。
【００３４】
前記内側カバー４１は、底面側を覆う水平部４３から端部が下方へ屈曲して延びた傾斜部４４を有し、前記水平部４３の端縁には、前記開口４０を形成する半円孔４０Ａを形成するとともに、両端部に下方へ延設した係合片４５，４５を形成し、該係合片４５，４５の外側に三角ダボからなる係止爪４６，…を複数形成し、また前記水平部４３の端縁には、前記切欠部３９に対応する前記下面１５の切断縁の下側に係合する係合段部４７を形成した形状である。一方、前記外側カバー４２は、正面視略Ｌ字形であり、底面側を覆う水平部４８と端面を覆う垂直部４９とを有し、前記水平部４８の端縁には、前記開口４０を形成する半円孔４０Ｂを形成するとともに、両端部に下方へ延設した係合片５０，５０を形成し、該係合片５０，５０の外側に三角ダボからなる係止爪５１，…を複数形成し、更に前記水平部４８のコーナー部近傍の両側には、前記垂直部４９の内面に連続して補強片５２，５２を延設するとともに、該補強片５２の内側下端に突起５３をそれぞれ形成した形状である。
【００３５】
また、前記ビーム３は、図９に示すように、下面１５、後面１６及び前面５４からなる断面略コ字状の凹溝２４を形成している。前記切欠部３９は、前記ビーム３の端部で下面１５と後面１６及び前面５４の下部を切り欠いたものである。そして、前記ビーム３の端部には、前記取付体２３を固定するための補強部材５５が後面１６と前面５４に溶接固定されている。前記補強部材５５は、下向きに開放した断面略コ字形の部材であり、上面板５６の両側から下向きに垂下板５７，５７を折曲形成したものであり、前記上面板５６をビーム３の上面と面一に設定するとともに、両垂下板５７，５７を後面１６と前面５４の内面に接合した状態で、スポット溶接で一体化する。そして、前記補強部材５５の両垂下板５７，５７には、前記内側カバー４１の係止爪４６，…と前記外側カバー４２の係止爪５１，…を同時に受け入れて係合する横長孔５８，５８を形成するとともに、前記前記外側カバー４２の補強片５２，５２を受け入れて、前記突起５３，５３を係合する係合凹部５９，５９を形成している。
【００３６】
前記化粧カバー３８を前記ビーム３の端部に取付けるには、先ず前記内側カバー４１の係合段部４７を前記切欠部３９の下面１５の端縁の下方に係合するとともに、両係合片４５，４５を前記補強部材５５の両垂下板５７，５７の内側に挿入して係止爪４６，…を横長孔５８，５８に向け止め係合する。それから、前記外側カバー４２の両補強片５２，５２を下方から前記補強部材５５の係合凹部５９，５９にスライド係合させながら、両係合片５０，５０前記補強部材５５の両垂下板５７，５７の内側に挿入して係止爪５１，…を横長孔５８，５８に向け止め係合する。この状態で、前記半円孔４０Ａと半円孔４０Ｂで円形の開口４０となり、前記脚体１の内側筒２１を取り囲むようになる。
【００３７】
また、前記化粧カバー３８の内面側には、前記昇降天板付きデスクの取扱説明書を保持できるようにすることも好ましい。また、前記化粧カバー３８の外側カバー４２の垂直部４９の表面にはロゴやブランド名、あるいは内蔵物（取扱説明書）の説明を表示することも好ましい。
【符号の説明】
【００３８】
Ａ，Ｂ  昇降天板付きデスク、
１  脚体、                ２  天板、
３  ビーム、              ４  支持杆、
５  ダクトカバー、        ６  支軸、
７  係止具（保持手段）、    ７Ａ  爪部、
８  下面、                ９  固定脚、
１０  可動脚、            １１  規制部、
１２  支持板、            １３  側面板、
１４  立上板、            １５  下面、
１６  後面、              １７  接地脚、
１８  側端縁、            １９  当接部、
２０  外側筒、            ２１  内側筒、
２２  中間筒、            ２３  取付体、
２４  凹溝、              ２５  電子制御装置、
２６  操作スイッチ、      ２７  カバー、
２８  配線機能部、        ２９  開口、
３０  配線カバー、        ３１  コンセント、
３２  立上げ配線ダクト、  ３３  余剰部分、
３４  バックパネル、      ３５  サイドパネル、
３６  Ｌ金具、            ３７  長孔、
３８  化粧カバー、        ３９  切欠部、
４０  開口、              ４０Ａ  半円孔、
４０Ｂ  半円孔、          ４１  内側カバー、
４２  外側カバー、        ４３  水平部、
４４  傾斜部、            ４５  係合片、
４６  係止爪、            ４７  係合段部、
４８  水平部、            ４９  垂直部、
５０  係合片、            ５１  係止爪、
５２  補強片、            ５３  突起、
５４  前面、              ５５  補強部材、
５６  上面板、            ５７  垂下板、
５８  横長孔、            ５９  係合凹部。
【図１】
2018064979.tif 000003
【図２】
2018064979.tif 000004
【図３】
2018064979.tif 000005
【図４】
2018064979.tif 000006
【図５】
2018064979.tif 000007
【図６】
2018064979.tif 000008
【図７】
2018064979.tif 000009
【図８】
2018064979.tif 000010
【図９】
2018064979.tif 000011
【図１０】
2018064979.tif 000012
【図１１】
2018064979.tif 000013
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
両側に配した脚体を固定脚に対して可動脚を上下動可能に支持した構造とし、両可動脚の上端で支持した天板の高さを調節可能とする昇降天板付きデスクであって、前記脚体は内部に格納された昇降機構部を駆動モータで昇降駆動する機構であり、前記可動脚の上端間に横方向に延びて設けた配線可能なビーム内に、前記駆動モータを制御する電子制御装置を内蔵するとともに、前記電子制御装置の後側で前記ビームの後面にダクトカバーを設けたことを特徴とする昇降天板付きデスクの配線ダクト装置。
【請求項２】
前記天板の下面後部に前記ダクトカバーを設けてなる請求項１記載の昇降天板付きデスクの配線ダクト装置。
【請求項３】
前記ビームに前記ダクトカバーが支持されている請求項１記載の昇降天板付きデスクの配線ダクト装置。
【手続補正２】
【補正対象書類名】明細書
【補正対象項目名】全文
【補正方法】変更
【補正の内容】
【発明の詳細な説明】
【技術分野】
【０００１】
本発明は、昇降天板付きデスクの配線ダクト装置に係わり、更に詳しくは昇降天板の下面後部に配線ダクトを設けてなる昇降天板付きデスクの配線ダクト装置に関するものである。
【背景技術】
【０００２】
従来から、両側に配した脚体を固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。
【０００３】
例えば、特許文献１には、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付け、前記天板の後縁と幕板の上端部間に配線ダクトが形成された昇降天板付きデスク装置が開示されている。
【０００４】
また、特許文献２には、後端部寄りに上下方向に折曲可能なヒンジ部を備える支持基板における前端部上面に係止片を、かつ後端に前後方向に弾性変形可能な閉塞片をそれぞれ上向に立設してなるダクトユニットにおける前記ヒンジ部よりも後方の端部を、天板の後端下面と所要寸法離間して立設された幕板の上端に、前記閉塞片の上端と天板下面とが当接又は近接するように止着するとともに、前記係止片を、天板下方の補強部材に着脱可能として係合したことを特徴とする机等における配線ダクト構造が開示されている。
【０００５】
しかし、特許文献１に記載の配線ダクト装置は、天板の後縁と幕板の上端部間に形成された配線ダクトの下方に。コード受けを固定的に設けたので、配線作業には天板の下に潜り込み、窮屈な姿勢を強いられるので、大変な労力を要する。また、特許文献２に記載の机等における配線ダクト構造は、支持基板の前端部上面における係止片と天板下方の補強部材との係合を外せば、支持基板はヒンジ部を中心として下向に回動、傾斜するので、ケーブル等を机等の前方よりダクト内に容易に収納することができるというものであるが、支持基板が弾性ヒンジ部によって下向きに傾斜するので、該支持基板に重量のあるコード類を載支した場合には、傾斜角度が大きくなって、コード類が配線作業中に落下する恐れもある。
【先行技術文献】
【特許文献】
【０００６】
【特許文献１】特許第４７９７９１２号公報
【特許文献２】実公平７−９８１号公報
【発明の概要】
【発明が解決しようとする課題】
【０００７】
そこで、本発明が前述の状況に鑑み、解決しようとするところは、両側に配した脚体を固定脚に対して可動脚を上下動可能に支持した構造とし、両可動脚の上端で支持した天板の高さを調節可能とする昇降天板付きデスク装置において、脚体に内蔵した昇降機構部を昇降駆動する駆動モータとその電子制御装置に対する配線可能であるとともに、電子制御装置を格納することが可能な昇降天板付きデスクの配線ダクト装置を提供する点にある。
【課題を解決するための手段】
【０００８】
本発明は、前述の課題解決のために、両側に配した脚体を固定脚に対して可動脚を上下動可能に支持した構造とし、両可動脚の上端で支持した天板の高さを調節可能とする昇降天板付きデスクであって、前記脚体は内部に格納された昇降機構部を駆動モータで昇降駆動する機構であり、前記可動脚の上端間に横方向に延びて設けた配線可能なビーム内に、前記駆動モータを制御する電子制御装置を内蔵するとともに、前記電子制御装置の後側で前記ビームの後面にダクトカバーを設けたことを特徴とする昇降天板付きデスクの配線ダクト装置を構成した（請求項１）。
【０００９】
ここで、前記天板の下面後部に前記ダクトカバーを設けてなることが好ましい（請求項２）。
【００１０】
また、前記ビームに前記ダクトカバーが支持されていることも好ましい（請求項３）。
【発明の効果】
【００１１】
以上にしてなる請求項１に係る発明の昇降天板付きデスクの配線ダクト装置は、両側に配した脚体を固定脚に対して可動脚を上下動可能に支持した構造とし、両可動脚の上端で支持した天板の高さを調節可能とする昇降天板付きデスクであって、前記脚体は内部に格納された昇降機構部を駆動モータで昇降駆動する機構であり、前記可動脚の上端間に横方向に延びて設けた配線可能なビーム内に、前記駆動モータを制御する電子制御装置を内蔵するとともに、前記電子制御装置の後側で前記ビームの後面にダクトカバーを設けたので、ビーム内に電子制御装置を格納することができ、またダクトカバーからビーム内を通して前記電子制御装置と駆動モータに電力を供給し、あるいは通信のためのＬＡＮケーブルを配線することができる。また、天板の下面後部にダクトカバーを設けたので、天板下方の前部を広く使用することができる。
【図面の簡単な説明】
【００１２】
【図１】本発明に係る昇降天板付きデスクを示す斜視図である。
【図２】同じく昇降天板付きデスクの分解斜視図である。
【図３】側方へ隣接して２台の昇降天板付きデスクを設置し、片方のデスクの天板を上昇させた状態の斜視図である。
【図４】ダクトカバーの斜視図である。
【図５】ダクトカバーを閉じた状態の部分斜視図である。
【図６】図５の状態の縦断面図である。
【図７】ダクトカバーを開いた状態の部分斜視図である。
【図８】図７の状態の縦断面図である。
【図９】化粧カバーを外した状態の部分斜視図である。
【図１０】化粧カバーの分解斜視図である。
【図１１】ビームの端部構造を示す部分斜視図である。
【発明を実施するための形態】
【００１３】
次に、添付図面に示した実施形態に基づき、本発明を更に詳細に説明する。図１は本発明に係る昇降天板付きデスクを示し、図２〜図８はその詳細を示し、図中符号１は脚体、２は天板、３はビーム、４は支持杆、５はダクトカバー、６は支軸、７は係止具それぞれ示している。
【００１４】
本発明に係る昇降天板付きデスクの配線ダクト装置は、図１及び図２に示すように、両側に配した脚体１，１の上端で支持した天板２の高さを調節可能とする昇降天板付きデスクＡであって、前記天板２の下面後部に該天板２との間に所定の空間を設けてダクトカバー５の後部を水平な支軸６にて前部が上下方向へ回動可能に取付けるとともに、該ダクトカバー５を係脱可能な保持手段７にて略水平状態に保持し、前記ダクトカバー５を開放した状態で前記天板２の下面８とダクトカバーのなす角度が９０°よりも小さな角度に設定したことを特徴とする。
【００１５】
ここで、図２に示すように、前記脚体１は、固定脚９に対して可動脚１０を上下動可能に支持した構造とし、両側の前記脚体１，１の可動脚１０，１０の上端に、横方向に延びるビーム３の両端部を取付け、該ビーム３の両側部には前後方向に延びた支持杆４，４の中央部が固定されており、前記ビーム３と支持杆４，４の上面に前記天板２を載置して取付けている。
【００１６】
本発明は、図７及び図８に示すように、前記ダクトカバー５を開放した状態で、前記天板２の下面８とダクトカバー５のなす角度が４５°〜７０°の角度に保持すべく、該ダクトカバー５の後端に前記天板２の下面８に当接する規制部１１，１１を設けている。前記天板２の下面８とダクトカバー５のなす角度が６０°であると特に好ましい。
【００１７】
そして、前記ビーム３の後側であって、両支持杆４，４に水平な支軸６，６にてダクトカバー５の両側後部を上下回動可能に取付けるとともに、該ダクトカバー５の前端部に、該ダクトカバー５が略水平状態に保持する前記ビーム３に対して係脱可能な保持手段７としての係止具を設けている。ここで、前記保持手段７としては、マグネットを用いるものや各種の構造が採用でき、またそれを設ける位置も特に制限されない。以下、実施形態では、前記保持手段７の一例として閂構造の係止具７を用いて説明する。
【００１８】
具体的には、前記ダクトカバー５は、図２及び図４に示すように、支持板１２の両側後部に前記支軸６，６で回動可能に支持する側面板１３，１３を有するとともに、前縁に立上板１４を有し、前記支持板１２が前記ビーム３の下面１５と略面一の略水平状態で前記立上板１４の両側に設けた閂構造の前記係止具７，７を前記ビーム３の後面１６に係脱可能に係合させ、更に前記側面板１３の後端に前記ダクトカバー５を所定角度に保持するための規制部１１を形成している。尚、前記ビーム３の後面１６には、前記係止具７の爪部７Ａが係止する係合孔を形成している。前記ダクトカバー５は、前記ビーム３の後側に連続して設けられ、前記立上板１４とビーム３の後面１６が近接して位置し、前記ダクトカバー５により形成されるダクト空間から前記ビーム３の後面１６に形成したコード挿通孔を通して凹溝２４内に配線することが可能である。
【００１９】
更に詳しくは、前記固定脚９は、図１〜図３及び図５に示すように、下端に前後方向に延びた接地脚１７を設け、該接地脚１７の少なくとも前後端部が平面視において前記天板２の側端縁１８よりも側方へ突出し、側方突出部を当接部１９，１９としている。具体的には、図１及び図２に示すように、前記脚体１の固定脚９は、筒状の外側筒２０の下端に前後方向に延びた前記接地脚１７の前後中央部を固定し、前記可動脚１０は、前記外側筒２０の内部に設けた単数又は複数の筒部材で伸縮連筒を構成したものである。本実施形態では、内側筒２１と中間筒２２の二つを前記外側筒２０の内部に同軸状に設けて伸縮連筒を構成している。
【００２０】
本発明に係る昇降天板付きデスクＡ，Ｂの２台を、横方向へ隣接して設置した状態を図３に示している。隣接して設置した両昇降天板付きデスクＡ，Ｂの脚体１，１の固定脚９，９に設けた当接部１９，１９同士を前後部において当接して最接近状態で設置した場合でも、隣接する天板２，２の側端縁１８，１８間に隙間が形成されているので、一方の昇降天板付きデスクＡの天板２を昇降しても他方の昇降天板付きデスクＢの天板２に干渉されることなく、昇降動作するのである。ここで、前記当接部１９は、接触摩擦抵抗の大きなゴム等の弾性材料で形成することが望ましい。
【００２１】
前記固定脚９に対して可動脚１０を昇降駆動する機構は、前述の伸縮連筒を関係付けてその内部に格納されている。前記内側筒２１の上端には、図２に示すように、取付体２３が固定されており、該取付体２３の内部には回転数を制御できるサーボモータあるいはステッピングモータ等の駆動モータが内蔵されており、前述の伸縮連筒と外側筒２０の内部に設けた送りネジ機構等から構成した昇降機構部が格納されている。そして、横方向に延びる上方開放のビーム３の両端部内に前記取付体２３を取付け、該ビーム３の両側部には前後方向に延びた支持杆４，４の中央部が固定されており、前記ビーム３と支持杆４，４の上面に前記天板２を載置して、下方からネジ止めして取付ける。
【００２２】
また、前記ビーム３の凹溝２４の内部には、駆動モータを制御する電子制御装置２５を組み込み、該電子制御装置２５の操作スイッチ２６を図１、図５及び図６に示すように、一方の前記支持杆４の手前側に設け、その配線は該支持杆４の内部からビーム３の凹溝２４を通して電子制御装置２５に繋がっている。尚、前記支持杆４の全体を合成樹脂製のカバー２７で覆うことも好ましい。
【００２３】
また、前記天板２の後部の両側には、その下方に設けたダクトカバー５からなる配線ダクト装置に関連して配線機能部２８，２８を設けている。前記配線機能部２８は、前記天板２に上下貫通して形成した開口２９の内部に、配線を挿通するための機能のついた配線カバー３０を設けたり、各種接続端子を備えたコンセント３１を設けたりする。
【００２４】
また、前記配線ダクト装置からビーム３の凹溝２４内を通して前記電子制御装置２５と駆動モータに電力を供給し、あるいは通信のためのＬＡＮケーブルを配線する必要がある。そのため、図５〜図８に示すように、アクセスフロア等の床面から引き出したコード類を前記脚体１の固定脚９の背面部に取付け、上端を余して前記天板２の後端部下面８に取付けた立上げ配線ダクト３２を設けている。前記立上げ配線ダクト３２は、合成樹脂製の偏平な芯材をファスナー付きの筒状袋内の一部に縫着し、あるいは熱溶着し、あるいは接着して固定し、該芯材にコード類を沿わせながらファスナーを閉じて内部に保持する構造である。前記天板２は昇降するが、本実施形態では、最も上昇したときには前記天板２の上面の高さが１２５０ｍｍとなり、最も下降したときには前記天板２の上面の高さが６５０ｍｍとなるので、その高低さを吸収できるだけの余剰部分３３を立上げ配線ダクト３２の上部に設けている。ここで、前記天板２の昇降時に前記立上げ配線ダクト３２は変形するが、前述の芯材の作用により変形方向は拘束され、最も下降した状態でも余剰部分３３が前記天板２の後端よりも後方へ突出しないようにしている。
【００２５】
また、前記天板２の後部と両側には、図１、図５〜図８に示すように、バックパネル３４とサイドパネル３５，３５をそれぞれＬ金具３６，…で前記天板２の下面に取付けている。ここで、前記バックパネル３４とサイドパネル３５は、天板２の下方にも十分な上下寸法を設けてあり、前記天板２を最高高さに上昇させた場合でも、隣接する天板２が最低高さにあるバックパネル３４とサイドパネル３５とが重なるように設定している。そして、隣接する昇降天板付きデスクＡ，Ｂの天板２，２に設けたサイドパネル３５，３５の間にも隙間が確保されるように設定している。
【００２６】
更に、前記ダクトカバー５の支持板１２には、複数の長孔３７，…を縦横に多数形成してあり、該長孔３７を利用して結束バンドでテーブルタップや変圧器等の配線機器を保持する。また、前記ダクトカバー５をスチール板で作製しているので、マグネットを利用して配線機器を吸着して保持することも可能である。
【００２７】
図５及び図６に示すように、前記ダクトカバー５は、閉じた状態では、前記ビーム３の下面１５と支持板１２が略面一に略水平状態で支持されるので、外観性に優れたものとなり、全く邪魔になることがない。また、図７及び図８に示すように、前記ダクトカバー５は、開いた状態では、天板２の下方を斜め上方から覗き込んだときに、前記支持板１２が略正面を向き、また前記立上板１４が受け部となるので、配線作業が容易であり、コード類が重くなっても、前記規制部１１，１１が天板２の下面８に当接して回動規制しているので、開放姿勢が安定である。
【００２８】
前記ビーム３の端部には、図５に示すように、前記脚体１を支持する取付体２３を取付けているが、前記ビーム３の凹溝２４をやや深く設定していることから、寸法の関係上、前記脚体１の外側筒２０及び中間筒２２の上端と前記ビーム３の下面１５との間に指を挟む危険性を除去するために、前記下面１５を含めて下部を切り欠いている。このビーム３の端部の切欠部３９や前記取付体２３を隠蔽するために、合成樹脂製の化粧カバー３８を取付けている。
【００２９】
前記化粧カバー３８と前記ビーム３の端部への取付構造を図５、図９〜図１１に基づいて説明する。前記化粧カバー３８は、前記ビーム３の切欠部３９と端面を覆うことができる正面視略Ｌ字状の部材であり、前記脚体１の内側脚２１を受け入れる円形の開口４０を有し、該開口４０の直径部分で左右に分割している。即ち、図１０に示すように、前記化粧カバー３８は、底面側を覆う内側カバー４１と側面側と底面側を覆う外側カバー４２とからなり、互いに突き合わせ接合する。
【００３０】
前記内側カバー４１は、底面側を覆う水平部４３から端部が下方へ屈曲して延びた傾斜部４４を有し、前記水平部４３の端縁には、前記開口４０を形成する半円孔４０Ａを形成するとともに、両端部に下方へ延設した係合片４５，４５を形成し、該係合片４５，４５の外側に三角ダボからなる係止爪４６，…を複数形成し、また前記水平部４３の端縁には、前記切欠部３９に対応する前記下面１５の切断縁の下側に係合する係合段部４７を形成した形状である。一方、前記外側カバー４２は、正面視略Ｌ字形であり、底面側を覆う水平部４８と端面を覆う垂直部４９とを有し、前記水平部４８の端縁には、前記開口４０を形成する半円孔４０Ｂを形成するとともに、両端部に下方へ延設した係合片５０，５０を形成し、該係合片５０，５０の外側に三角ダボからなる係止爪５１，…を複数形成し、更に前記水平部４８のコーナー部近傍の両側には、前記垂直部４９の内面に連続して補強片５２，５２を延設するとともに、該補強片５２の内側下端に突起５３をそれぞれ形成した形状である。
【００３１】
また、前記ビーム３は、図９に示すように、下面１５、後面１６及び前面５４からなる断面略コ字状の凹溝２４を形成している。前記切欠部３９は、前記ビーム３の端部で下面１５と後面１６及び前面５４の下部を切り欠いたものである。そして、前記ビーム３の端部には、前記取付体２３を固定するための補強部材５５が後面１６と前面５４に溶接固定されている。前記補強部材５５は、下向きに開放した断面略コ字形の部材であり、上面板５６の両側から下向きに垂下板５７，５７を折曲形成したものであり、前記上面板５６をビーム３の上面と面一に設定するとともに、両垂下板５７，５７を後面１６と前面５４の内面に接合した状態で、スポット溶接で一体化する。そして、前記補強部材５５の両垂下板５７，５７には、前記内側カバー４１の係止爪４６，…と前記外側カバー４２の係止爪５１，…を同時に受け入れて係合する横長孔５８，５８を形成するとともに、前記前記外側カバー４２の補強片５２，５２を受け入れて、前記突起５３，５３を係合する係合凹部５９，５９を形成している。
【００３２】
前記化粧カバー３８を前記ビーム３の端部に取付けるには、先ず前記内側カバー４１の係合段部４７を前記切欠部３９の下面１５の端縁の下方に係合するとともに、両係合片４５，４５を前記補強部材５５の両垂下板５７，５７の内側に挿入して係止爪４６，…を横長孔５８，５８に向け止め係合する。それから、前記外側カバー４２の両補強片５２，５２を下方から前記補強部材５５の係合凹部５９，５９にスライド係合させながら、両係合片５０，５０前記補強部材５５の両垂下板５７，５７の内側に挿入して係止爪５１，…を横長孔５８，５８に向け止め係合する。この状態で、前記半円孔４０Ａと半円孔４０Ｂで円形の開口４０となり、前記脚体１の内側筒２１を取り囲むようになる。
【００３３】
また、前記化粧カバー３８の内面側には、前記昇降天板付きデスクの取扱説明書を保持できるようにすることも好ましい。また、前記化粧カバー３８の外側カバー４２の垂直部４９の表面にはロゴやブランド名、あるいは内蔵物（取扱説明書）の説明を表示することも好ましい。
【符号の説明】
【００３４】
Ａ，Ｂ  昇降天板付きデスク、
１  脚体、                ２  天板、
３  ビーム、              ４  支持杆、
５  ダクトカバー、        ６  支軸、
７  係止具（保持手段）、    ７Ａ  爪部、
８  下面、                ９  固定脚、
１０  可動脚、            １１  規制部、
１２  支持板、            １３  側面板、
１４  立上板、            １５  下面、
１６  後面、              １７  接地脚、
１８  側端縁、            １９  当接部、
２０  外側筒、            ２１  内側筒、
２２  中間筒、            ２３  取付体、
２４  凹溝、              ２５  電子制御装置、
２６  操作スイッチ、      ２７  カバー、
２８  配線機能部、        ２９  開口、
３０  配線カバー、        ３１  コンセント、
３２  立上げ配線ダクト、  ３３  余剰部分、
３４  バックパネル、      ３５  サイドパネル、
３６  Ｌ金具、            ３７  長孔、
３８  化粧カバー、        ３９  切欠部、
４０  開口、              ４０Ａ  半円孔、
４０Ｂ  半円孔、          ４１  内側カバー、
４２  外側カバー、        ４３  水平部、
４４  傾斜部、            ４５  係合片、
４６  係止爪、            ４７  係合段部、
４８  水平部、            ４９  垂直部、
５０  係合片、            ５１  係止爪、
５２  補強片、            ５３  突起、
５４  前面、              ５５  補強部材、
５６  上面板、            ５７  垂下板、
５８  横長孔、            ５９  係合凹部。